(57)【要約】      （修正有）【課題】整理、保管、収納しやすく、アクセサリを収納キャビティ内に固定でき、より多種のトレーニングを実現できる総合的フィットネス器具を提供する。【解決手段】トレーニング板モジュールと、ガントリーモジュールと、取手モジュールと、スライドボードモジュールとを備える総合的フィットネス器具であって、トレーニング板モジュールがフレーム１とパネル２とを備え、フレームが複数段のユニットフレームから可動的に連結され、ユニットフレームがそれぞれ１枚のユニットパネルに対応し、フレームの両側にそれぞれ、第１のベース３が設けられ、第１のベース内にＵ型取手又はガントリーモジュールの支持フレーム５が取り付けられる。トレーニング板と、Ｕ型取手又はガントリーと、スライドボードモジュールとが共同で組合せられ、異なる構造を得ることができる。【選択図】図１
0003227364.tif 000002
【実用新案登録請求の範囲】
【請求項１】
トレーニング板モジュールと、ガントリーモジュールと、取手モジュールと、スライドボードモジュールとを備える総合的フィットネス器具であって、前記トレーニング板モジュールがフレーム１とパネル２とを備え、前記フレーム１が複数段のユニットフレーム１．１から可動的に連結され、前記ユニットフレーム１．１がそれぞれ１枚のユニットパネル２．１に対応し、前記フレーム１の両側にそれぞれ、第１のベース３が設けられ、前記第１のベース３内にＵ型取手４又はガントリーモジュールの支持フレーム５が取り付けられており、
前記第１のベース３内にＵ型取手４が取り付けられる場合、前記第１のベース３が第１のスプリングピン７に合わせてＵ型取手４を締め付け、
前記第１のベース３内に支持フレーム５が取り付けられる場合、前記フレーム１の両側に第２の可動ベース８がさらに設けられ、前記第２の可動ベース８が、一端がフレーム１の側辺に連結されるベース板８．１と、ベース板８．１の延伸方向に垂直であるベースケーシング８．２とから構成され、前記フレーム１の側辺にベース板８．１を固定するための係合溝が設けられており、前記支持フレーム５が主支持バー５．１と、アンチロールバー５．２とから構成され、前記アンチロールバー５．２が主支持バー５．１の下半部に連結され、前記支持フレーム５が２つのフッティングを有し、１つが第２の可動ベース８に挿入し、もう１つが前記フレーム１の両側の第１のベース３に挿入し、かつ前記第１のベース３が第１のスプリングピン７に合わせて前記支持フレーム５を締め付け、
前記ガントリーモジュールが位置決めバー９と、弾力装置１０と、Ｕ型挿入バー１１と、滑車１２と、ワイヤー１３とをさらに備え、前記フレーム１の両側の第１のベース３における穴がそれぞれ、弾力装置１０の一端に連結され、前記支持フレーム５の頂部が第２のスプリングピン１８を介して位置決めバー９にロック固定され、前記Ｕ型挿入バー１１の両端がそれぞれ、位置決めバー９の頂部に挿入し、前記Ｕ型挿入バー１１の頂部位置に滑車１２が設けられ、前記ワイヤー１３が滑車１２を跨いで、一端がプルロッド１４に連結され、他端が弾力装置１０に連結され、
前記スライドボードモジュールが開閉可能に設けられる下パネル１５及び上パネル１６を備え、前記下パネル１５の底部の四角に第１のキャスタ１７が設けられ、前記スライドボードモジュールが前記トレーニング板モジュールの上に架設され、前記トレーニング板モジュールが前記第１のキャスタ１７間の間隔を貫通し、前記スライドボードモジュールの底面から第１のキャスタ１７の底部までの高さが前記トレーニング板モジュールの厚さよりも大きいことで、前記スライドボードモジュールがトレーニング板モジュールの上に置かれる場合、その第１のキャスタ１７が床面に接触でき、前記スライドボードモジュールとトレーニング板モジュールとが相対的にスライドできることを特徴とする、総合的フィットネス器具。
【請求項２】
前記トレーニング板モジュールにフレーム１が２段のユニットフレーム１．１から可動的に連結され、前記ユニットフレーム１．１と、それに対応するユニットパネル２．１とが１つの全体であり、前記ユニットフレーム１．１とユニットパネルの下表面との間にそれぞれ収納キャビティが形成し、前記パネル２の下表面にアクセサリ固定装置１９が設けられ、前記アクセサリ固定装置１９に着脱に用いられるトレーニングのためのアクセサリ２０が配置されていることを特徴とする、請求項１に記載の総合的フィットネス器具。
【請求項３】
前記ユニットフレーム１．１の側辺に第１のロックキャッチ６が対応して設けられ、フレームが折り畳まれた場合、第１のロックキャッチ６が互いに連結係合されることを特徴とする、請求項２に記載の総合的フィットネス器具。
【請求項４】
前記ユニットフレーム１．１の両端の側辺にそれぞれ、第２のキャスタ２１と第１の留め具２２とが設けられていることを特徴とする、請求項２に記載の総合的フィットネス器具。
【請求項５】
前記スライドボードモジュールの上パネル１６の上部に複数の取手の第１の溝２３が設けられており、前記第１の溝２３に第１の取手モジュール２４が挿着されており、前記上パネル１６の下部にそれに回転連結される角度可変支持部品２５が設けられており、前記下パネル１５に角度可変支持部品２５に対応する係合溝２６が設けられていることを特徴とする、請求項１に記載の総合的フィットネス器具。
【請求項６】
前記第１の取手モジュール２４が、取手取付台座２４．１と、取手取付台座２４．１の底部の両端に設けられる取手固定挿入バー２４．２と、両端が取手支持バー２４．３を介して取手取付台座２４．１の上部に設けられるハンドル２４．４とを備え、前記第１の溝２３が所定の順番でスライドボードモジュールの上パネル１６に配列され、かつ隣接する二つの第１の溝２３間のピッチと取手固定挿入バー２４．２間のピッチとが同様であることにより、第１の取手モジュール２４が上パネル１６における挿設部位を交換可能であることを特徴とする、請求項５に記載の総合的フィットネス器具。
【請求項７】
前記第１のキャスタ１７の一側に止め板２７がヒンジ接合されており、前記止め板２７が止め連結板２７．１と、止め連結板２７．１に垂直に連結される止めベースプレート２７．２とを備え、止めベースプレート２７．２がその底面と下パネル１５の底面とが重なるまで回転する場合、前記第１のキャスタ１７が着地し、スライドボードモジュールが移動可能な状態にあり、止めベースプレート２７．２が第１のキャスタ１７の下部まで回転する場合、前記第１のキャスタ１７が宙に浮いて、スライドボードモジュールが固定状態にあることを特徴とする、請求項１に記載の総合的フィットネス器具。
【請求項８】
前記上パネル１６における下パネル１５に連結される一端に近接する部位に、上パネル１６と垂直であるバフル板２８が上向きに設けられており、前記バフル板２８の底部に２つの穴２９が設けられていることを特徴とする、請求項５に記載の総合的フィットネス器具。
【請求項９】
前記下パネル１５と上パネル１６が対向して設けられるキャビティ構造であり、前記下パネル１５の内部底面にアクセサリ固定装置１９があり、前記アクセサリ固定装置１９に鍛錬のためのアクセサリ２０が固定されていることを特徴とする、請求項５に記載の総合的フィットネス器具。
【請求項１０】
前記上パネル１６の両側に第１の取手モジュール２４を固定するための第１のスプリングピンロック３０が設けられており、前記上パネル１６におけるバフル板２８から離れる一端に、下パネル１５と上パネル１６を固定するための第２のスプリングピンロック３６が設けられており、前記下パネル１５の両側に第１の伸縮可能な留め具３８がさらに設けられていることを特徴とする、請求項８に記載の総合的フィットネス器具。
【請求項１１】
前記トレーニング板モジュールにフレーム１が４段のユニットフレーム１．１から可動的に連結され、前記ユニットフレーム１．１と、それに対応するユニットパネル２．１とが１つの全体であり、トレーニング板モジュールの両端に位置するユニットパネル２．１に第２の溝３１と、第２の溝３１に嵌合される第２の取手モジュール３２とが設けられており、前記第２の溝３１、第２の取手モジュール３２とスライドボードモジュールにおける第１の溝２３、第１の取手モジュール２４の構造が同様であり、トレーニング板モジュールの両端に位置するユニットフレーム１．１がその側辺に互いに締結され得るトレーニング板の固定ストラップ３４が設けられており、前記トレーニング板モジュールの両端及び両側辺に第２の伸縮可能な留め具３５が設けられており、前記トレーニング板モジュールの両側に第２の取手モジュール３２を固定する第３のスプリングピンロック３７がさらに設けられていることを特徴とする、請求項１に記載の総合的フィットネス器具。
【請求項１２】
４段の前記ユニットフレーム１．１が、構造が同様である中部フレーム１．１ａと、中部フレーム１．１ａの両端に設けられ構造が同様である端部フレーム１．１ｂとを備え、前記中部フレーム１．１ａの互いに連結される一端がその頂部に中部フレーム１．１ａを相対的に上へ折り畳むためのヒンジ３９が設けられており、その底部に中部フレーム１．１ａを相対的に上へ折り畳むことを制限するロック部材４０が設けられており、前記ロック部材４０が交差して２つの中部フレーム１．１ａの隣接する底辺に設けられ、前記ロック部材４０の中心に貫通してロック孔が設けられており、前記ロック孔にロックシャフト４１が穿設され得、前記中部フレーム１．１ａの他端の底部にそれぞれ端部フレーム１．１ｂを下へ折り畳むための蝶番４２が設けられていることを特徴とする、請求項１１に記載の総合的フィットネス器具。
【請求項１３】
前記ガントリーモジュールにおける位置決めバー９に幾つかの高さ調整孔３３がさらに設けられ、支持フレーム５における第２のスプリングピン１８が高さ調整孔３３を貫通して、支持フレーム５と位置決めバー９をロック固定することを特徴とする、請求項１に記載の総合的フィットネス器具。
【考案の詳細な説明】
【技術分野】
【０００１】
本考案は、フィットネス器具分野に関し、特に総合的フィットネス器具に関する。
【背景技術】
【０００２】
社会の高速発展に伴い、生活のリズムが速く、仕事のストレスが大きく、自由に配分される時間が少ないことは、社会的な常態となっている。仕事、生活及びフィットネスの矛盾をどのように解決するかは、現在速やかな解決が望まれる課題である。当該考案は「いつでもフィットネス」、「細分化時間でフィットネス」という理念に基づき、非常に簡単で実用的設計構想で、構造が簡単であり、機能が多様であり、軽便で携帯しやすく、省スペースであり、適用範囲が広い携帯式フィットネス器具が設計されている。細分化時間を利用して、事務所、寮、屋外においていつでもどこでも鍛錬することができる。
【考案の概要】
【０００３】
上記問題を解決するために、本考案が以下の技術的手段を提供する。トレーニング板モジュールと、ガントリーモジュールと、取手モジュールと、スライドボードモジュールとを備える総合的フィットネス器具であって、前記トレーニング板モジュールがフレームとパネルとを備え、前記フレームが複数段のユニットフレームから可動的に連結され、前記ユニットフレームがそれぞれ１枚のユニットパネルに対応し、前記フレームの両側にそれぞれ、第１のベースが設けられ、前記第１のベース内にＵ型取手又はガントリーモジュールの支持フレームが取り付けられており、
前記第１のベース内にＵ型取手が取り付けられる場合、前記第１のベースが第１のスプリングピンに合わせてＵ型取手を締め付け、
前記第１のベース内に支持フレームが取り付けられる場合、前記フレームの両側に第２の可動ベースがさらに設けられ、前記第２の可動ベースが、一端がフレームの側辺に連結されるベース板と、ベース板の延伸方向に垂直であるベースケーシングとから構成され、前記フレームの側辺にベース板を固定するための係合溝が設けられており、前記支持フレームが主支持バーと、アンチロールバーとから構成され、前記アンチロールバーが主支持バーの下半部に連結され、前記支持フレームが２つのフッティングを有し、１つが第２の可動ベースに挿入し、もう１つが前記フレームの両側の第１のベースに挿入し、かつ前記第１のベースが第１のスプリングピンに合わせて前記支持フレームを締め付け、
前記ガントリーモジュールが位置決めバーと、弾力装置と、Ｕ型挿入バーと、滑車と、ワイヤーとをさらに備え、前記フレームの両側の第１のベースにおける穴がそれぞれ、弾力装置の一端に連結され、前記支持フレームの頂部が第２のスプリングピンを介して位置決めバーにロック固定され、前記Ｕ型挿入バーの両端がそれぞれ、位置決めバーの頂部に挿入し、前記Ｕ型挿入バーの頂部位置に滑車が設けられ、前記ワイヤーが滑車を跨いで、一端がプルロッドに連結され、他端が弾力装置に連結され、
前記スライドボードモジュールが開閉可能に設けられる下パネル及び上パネルを備え、前記下パネルの底部の四角に第１のキャスタが設けられ、前記スライドボードモジュールが前記トレーニング板モジュールの上に架設され、前記トレーニング板モジュールが前記第１のキャスタ間の間隔を貫通し、前記スライドボードモジュールの底面から第１のキャスタの底部までの高さが前記トレーニング板モジュールの厚さよりも大きいことで、前記スライドボードモジュールがトレーニング板モジュールの上に置かれる場合、その第１のキャスタが床面に接触でき、前記スライドボードモジュールとトレーニング板モジュールとが相対的にスライドできる総合的フィットネス器具。
【０００４】
改善としては、前記トレーニング板モジュールにフレームが２段のユニットフレームから可動的に連結され、前記ユニットフレームと、それに対応するユニットパネルとが１つの全体であり、前記ユニットフレームとユニットパネルの下表面との間にそれぞれ収納キャビティが形成し、前記パネルの下表面にアクセサリ固定装置が設けられ、前記アクセサリ固定装置に着脱に用いられるトレーニングのためのアクセサリが配置されている。
【０００５】
改善としては、前記ユニットフレームの側辺に第１のロックキャッチが対応して設けられ、フレームが折り畳まれた場合、第１のロックキャッチが互いに連結係合される。
【０００６】
改善としては、前記ユニットフレームの両端の側辺にそれぞれ、第２のキャスタと第１の留め具とが設けられている。
【０００７】
改善としては、前記スライドボードモジュールの上パネルの上部に複数の取手の第１の溝が設けられており、前記第１の溝に第１の取手モジュールが挿着されており、前記上パネルの下部にそれに回転連結される角度可変支持部品が設けられており、前記下パネルに角度可変支持部品に対応する係合溝が設けられている。
【０００８】
改善としては、前記第１の取手モジュールが、取手取付台座と、取手取付台座の底部の両端に設けられる取手固定挿入バーと、両端が取手支持バーを介して取手取付台座の上部に設けられるハンドルとを備え、前記第１の溝が所定の順番でスライドボードモジュールの上パネルに配列され、かつ隣接する二つの第１の溝間のピッチと取手固定挿入バー間のピッチとが同様であることにより、第１の取手モジュールが上パネルにおける挿設部位を交換可能である。
【０００９】
改善としては、前記第１のキャスタの一側に止め板がヒンジ接合されており、前記止め板が止め連結板と、止め連結板に垂直に連結される止めベースプレートとを備え、止めベースプレートがその底面と下パネルの底面とが重なるまで回転する場合、前記第１のキャスタが着地し、スライドボードモジュールが移動可能な状態にあり、止めベースプレートが第１のキャスタの下部まで回転する場合、前記第１のキャスタが宙に浮いて、スライドボードモジュールが固定状態にある。
【００１０】
改善としては、前記上パネルにおける下パネルに連結される一端に近接する部位に、上パネルと垂直であるバフル板が上向きに設けられており、前記バフル板の底部に２つの穴が設けられている。
【００１１】
改善としては、前記下パネルと上パネルが対向して設けられるキャビティ構造であり、前記下パネルの内部底面にアクセサリ固定装置があり、前記アクセサリ固定装置に鍛錬のためのアクセサリが固定されている。
【００１２】
改善としては、前記上パネルの両側に第１の取手モジュールを固定するための第１のスプリングピンロックが設けられており、前記上パネルにおけるバフル板から離れる一端に、上パネルと下パネルを固定するための第２のスプリングピンロックが設けられており、前記下パネルの両側に第１の伸縮可能な留め具がさらに設けられている。
【００１３】
改善としては、前記トレーニング板モジュールにフレームが４段のユニットフレームから可動的に連結され、前記ユニットフレームと、それに対応するユニットパネルとが１つの全体であり、トレーニング板モジュールの両端に位置するユニットパネルに第２の溝と、第２の溝に嵌合される第２の取手モジュールとが設けられており、前記第２の溝、第２の取手モジュールとスライドボードモジュールにおける第１の溝、第１の取手モジュールの構造が同様であり、トレーニング板モジュールの両端に位置するユニットフレームがその側辺に互いに締結され得るトレーニング板の固定ストラップが設けられており、前記トレーニング板モジュールの両端及び両側辺に第２の伸縮可能な留め具が設けられており、前記トレーニング板モジュールの両側に第２の取手モジュールを固定する第３のスプリングピンロックがさらに設けられている。
【００１４】
改善としては、４段の前記ユニットフレームが、構造が同様である中部フレームと、中部フレームの両端に設けられ構造が同様である端部フレームとを備え、前記中部フレームの互いに連結される一端がその頂部に中部フレームを相対的に上へ折り畳むためのヒンジが設けられており、その底部に中部フレームを相対的に上へ折り畳むことを制限するロック部材が設けられており、前記ロック部材が交差して２つの中部フレームの隣接する底辺に設けられ、前記ロック部材の中心に貫通してロック孔が設けられており、前記ロック孔にロックシャフトが穿設され得、前記中部フレームの他端の底部にそれぞれ端部フレームを下へ折り畳むための蝶番が設けられている。
【００１５】
改善としては、前記ガントリーモジュールにおける位置決めバーに幾つかの高さ調整孔がさらに設けられ、支持フレームにおける第２のスプリングピンが高さ調整孔を貫通して、支持フレームと位置決めバーをロック固定する。
【００１６】
以上の構造を用いた後、本考案は以下のメリットを有する。本考案はトレーニング板と、取手又はガントリーと、スライドボードモジュールとが共同で組合せられたものであり、Ｕ型取手、ガントリー及びスライドボードモジュールの組合せにより異なる構造を得ることができる。トレーニング板は折り畳み可能な構造を有し、ガントリーは幾つかの部材に分解することができ、整理、保管、収納しやすくなる。トレーニング板は折り畳まれた後、一定の収納空間を有し、アクセサリを収納キャビティ内に固定し、アクセサリが雑然として置かれることや紛失することを防止できる。トレーニング板における留め具、取手がアクセサリ及びスライドボードに合わせて、より多種のトレーニングを実現できる。以上のように、本考案は多種のトレーニングを行うことができ、機能が様々であり、省スペースである。本考案は現在多種の効果的なトレーニングモードを統合し、革新し最適化したところ、１００種以上の運動、６０種余りの筋トレモードを完成でき、頸肩部、胸背部、腰腹部及び四肢の各部位に対する全面的な鍛錬を実現できる。全身の大筋群刺激トレーニング及び小筋群強化トレーニングを満足し、大胸筋増強トレーニング、僧帽筋広背筋の筋肥大トレーニング、背下部持久力トレーニング、大腿四頭筋／ハムストリングス筋肉増加トレーニング、コアトレーニング、運動連鎖トレーニング等を含む。異なる年齢及び異なるトレーニング段階における人のフィットネス、医学的リハビリテーション、体質向上等の面に対する要求に適する。
【図面の簡単な説明】
【００１７】
【図１】本考案に係る総合的フィットネス器具の実施例１におけるガントリーモジュール、スライドボードモジュールが取り付けられた状態でのトレーニング板モジュールの概略構成図である。
【図２】本考案に係る総合的フィットネス器具の実施例１の底面構成の概略図である。
【図３】本考案に係る総合的フィットネス器具における第１のスプリングピンの概略構成図である。
【図４】本考案に係る総合的フィットネス器具のスライドボードモジュールの内部構成の概略図である。
【図５】本考案に係る総合的フィットネス器具のスライドボードモジュールの上部構成の概略図である。
【図６】本考案に係る総合的フィットネス器具のスライドボードモジュールの側面構成の概略図である。
【図７】本考案に係る総合的フィットネス器具のスライドボードモジュールにおける第１の取手モジュールの概略構成図である。
【図８】本考案に係る総合的フィットネス器具のスライドボードモジュールの固定状態における第１のキャスタの概略構成図である。
【図９】本考案に係る総合的フィットネス器具のスライドボードモジュールの移動可能な状態における第１のキャスタの概略構成図である。
【図１０】本考案に係る総合的フィットネス器具の実施例２におけるＵ型取手モジュールが取り付けられた状態でのトレーニング板モジュールの概略構成図である。
【図１１】本考案に係る総合的フィットネス器具の折り畳み状態の概略構成図である。
【図１２】本考案に係る総合的フィットネス器具の実施例３の四つ折りのトレーニング板の概略構成図である。
【図１３】本考案に係る総合的フィットネス器具の実施例３の四つ折りのトレーニング板の折り畳み状態の概略構成図である。
【図１４】本考案に係る総合的フィットネス器具の実施例３の四つ折りのトレーニング板の展開状態における底部構成の概略図である。
【図１５】本考案に係る総合的フィットネス器具の実施例３の四つ折りのトレーニング板におけるロック部材の概略構成図である。
【図１６】本考案に係る総合的フィットネス器具の実施例３の四つ折りのトレーニング板における蝶番の概略構成図である。
【図１７】リバースプッシュダウンのトレーニングの概略図である。
【図１８】腹筋トレーニングの概略図である。
【図１９】スタンディングチューブサイドレイズの概略図である。
【図２０】ストレッチボードトレーニングの概略図である。
【図２１】ベントオーバークランチの概略図である。
【図２２】スライドボード補助による懸垂トレーニングの概略図である。
【考案を実施するための形態】
【００１８】
実施例１
添付図面１〜９を参照する。本実施例はトレーニング板モジュールとガントリーモジュールを組合せて取り付けた状態である。具体的には、以下の通りである。
トレーニング板モジュールと、ガントリーモジュールと、取手モジュールと、スライドボードモジュールとを備える総合的フィットネス器具であって、前記トレーニング板モジュールがフレーム１とパネル２とを備え、前記フレーム１が複数段のユニットフレーム１．１から可動的に連結され、前記ユニットフレーム１．１がそれぞれ１枚のユニットパネル２．１に対応し、前記フレーム１の両側にそれぞれ、第１のベース３が設けられ、前記第１のベース３内にＵ型取手４又はガントリーモジュールの支持フレーム５が取り付けられており、
前記第１のベース３内に支持フレーム５が取り付けられる場合、前記フレーム１の両側に第２の可動ベース８がさらに設けられ、前記第２の可動ベース８が、一端がフレーム１の側辺に連結されるベース板８．１と、ベース板８．１の延伸方向に垂直であるベースケーシング８．２とから構成され、前記フレーム１の側辺にベース板８．１を固定するための係合溝が設けられており、前記支持フレーム５が主支持バー５．１と、アンチロールバー５．２とから構成され、前記アンチロールバー５．２が主支持バー５．１の下半部に連結され、前記支持フレーム５が２つのフッティングを有し、１つが第２の可動ベース８に挿入し、もう１つが前記フレーム１の両側の第１のベース３に挿入し、かつ前記第１のベース３が第１のスプリングピン７に合わせて前記支持フレーム５を締め付け、
前記ガントリーモジュールが位置決めバー９と、弾力装置１０と、Ｕ型挿入バー１１と、滑車１２と、ワイヤー１３とをさらに備え、前記フレーム１の両側の第１のベース３における穴がそれぞれ、弾力装置１０の一端に連結され、前記支持フレーム５の頂部が第２のスプリングピン１８を介して位置決めバー９にロック固定され、前記Ｕ型挿入バー１１の両端がそれぞれ、位置決めバー９の頂部に挿入し、前記Ｕ型挿入バー１１の頂部位置に滑車１２が設けられ、前記ワイヤー１３が滑車１２を跨いで、一端がプルロッド１４に連結され、他端が弾力装置１０に連結され、
前記スライドボードモジュールが開閉可能に設けられる下パネル１５及び上パネル１６を備え、前記下パネル１５の底部の四角に第１のキャスタ１７が設けられ、前記スライドボードモジュールが前記トレーニング板モジュールの上に架設され、前記トレーニング板モジュールが前記第１のキャスタ１７間の間隔を貫通し、前記スライドボードモジュールの底面から第１のキャスタ１７の底部までの高さが前記トレーニング板モジュールの厚さよりも大きいことで、前記スライドボードモジュールがトレーニング板モジュールの上に置かれる場合、その第１のキャスタ１７が床面に接触でき、前記スライドボードモジュールとトレーニング板モジュールとが相対的にスライドできる総合的フィットネス器具。
【００１９】
本実施例の好ましい実施形態としては、前記トレーニング板モジュールにフレーム１が２段のユニットフレーム１．１から可動的に連結され、前記ユニットフレーム１．１と、それに対応するユニットパネル２．１とが１つの全体であり、なかでも、２段のユニットフレーム１．１の接合部に１８０度位置規制蝶番が設けられており、前記ユニットフレーム１．１とユニットパネルの下表面との間にそれぞれ収納キャビティが形成し、前記パネル２の下表面にアクセサリ固定装置１９が設けられ、前記アクセサリ固定装置１９に着脱に用いられるトレーニングのためのアクセサリ２０が配置されている。
【００２０】
本実施例の好ましい実施形態としては、前記ユニットフレーム１．１の側辺に第１のロックキャッチ６が対応して設けられ、フレームが折り畳まれた場合、第１のロックキャッチ６が互いに連結係合される。
【００２１】
本実施例の好ましい実施形態としては、前記ユニットフレーム１．１の両端の側辺にそれぞれ、第２のキャスタ２１と第１の留め具２２とが設けられている。
【００２２】
本実施例の好ましい実施形態としては、前記スライドボードモジュールの上パネル１６の上部に取手を固定するための複数の第１の溝２３が設けられており、前記第１の溝２３に第１の取手モジュール２４が挿着されており、前記上パネル１６の下部にそれに回転連結される角度可変支持部品２５が設けられており、前記下パネル１５に角度可変支持部品２５に対応する係合溝２６が設けられている。
【００２３】
本実施例の好ましい実施形態としては、前記第１の取手モジュール２４が、取手取付台座２４．１と、取手取付台座２４．１の底部の両端に設けられる取手固定挿入バー２４．２と、両端が取手支持バー２４．３を介して取手取付台座２４．１の上部に設けられるハンドル２４．４とを備え、前記第１の溝２３が所定の順番で横方向、縦方向にスライドボードモジュールの上パネル１６に配列され、かつ隣接する二つの第１の溝２３間のピッチと取手固定挿入バー２４．２間のピッチとが同様であることにより、第１の取手モジュール２４が上パネル１６における挿設部位を交換可能である。
【００２４】
本実施例の好ましい実施形態としては、前記第１のキャスタ１７の一側に止め板２７がヒンジ接合されており、前記止め板２７が止め連結板２７．１と、止め連結板２７．１に垂直に連結される止めベースプレート２７．２とを備え、止めベースプレート２７．２がその底面と下パネル１５の底面とが重なるまで回転する場合、前記第１のキャスタ１７が着地し、スライドボードモジュールが移動可能な状態にあり、止めベースプレート２７．２が第１のキャスタ１７の下部まで回転する場合、前記第１のキャスタ１７が宙に浮いて、スライドボードモジュールが固定状態にある。
【００２５】
本実施例の好ましい実施形態としては、前記上パネル１６における下パネル１５に連結される一端に近接する部位に、上パネル１６と垂直であるバフル板２８が上向きに設けられており、前記バフル板２８の底部に２つの穴２９が設けられている。
【００２６】
本実施例の好ましい実施形態としては、前記下パネル１５と上パネル１６が対向して設けられるキャビティ構造であり、前記下パネル１５の内部底面にアクセサリ固定装置１９があり、前記アクセサリ固定装置１９に鍛錬のためのアクセサリ２０が固定されている。
【００２７】
本実施例の好ましい実施形態としては、前記上パネル１６の両側に第１の取手モジュール２４を固定するための第１のスプリングピンロック３０が設けられており、トレーニング時に第１の取手モジュール２４がパネルから脱出することを防止し、前記上パネル１６におけるバフル板２８から離れる一端に、下パネル１５を固定するための第２のスプリングピンロック３６が設けられており、前記下パネル１５の両側に第１の伸縮可能な留め具３８がさらに設けられている。
【００２８】
本実施例の好ましい実施形態としては、前記ガントリーモジュールにおける位置決めバー９に幾つかの高さ調整孔３３がさらに設けられ、支持フレーム５における第２のスプリングピン１８が高さ調整孔３３を貫通して、支持フレーム５と位置決めバー９をロック固定する。
【００２９】
本実施例において、アクセサリ固定装置１９は、ばね押さえ板と、フックと、バックルと、補強リブ等を備え、トレーニングアクセサリ２０は、ゴムひも２０．１と、ショートグリップ２０．２と、ロンググリップ２０．３と、足首バックル２０．４と、予備取手２０．５とを含む。なお、ユーザは具体的な状況に応じて、異なるアクセサリを設置保管することができる。
【００３０】
実施例２
添付図面１０を参照する。本実施例はトレーニング板モジュールとＵ型取手とを組合せて取り付けた状態であり、本実施例と実施例１との相違点は以下の通りである。
【００３１】
本実施例において、ガントリーモジュールが取り付けられておらず、前記第１のベース３内にＵ型取手４が取り付けられており、かつ前記第１のベース３が第１のスプリングピン７に合わせてＵ型取手４を締め付ける。
【００３２】
実施例１、実施例２において、トレーニング板モジュールの開き方として、２段のユニットフレーム１．１を開き、重力の作用により第２のキャスタ２１が両側にスライドし、フレーム１がすべて着地するまでスライドしたら、開き済みとなり、実際の使用状況に応じて、２段のユニットフレーム１．１の接合部に回転ダンパーを設けることが可能である。回転ダンパーの作用を受けることにより、パネルキャスタ２２はゆっくり両側へスライドし、開かれていき、より安定になる。
【００３３】
収納方法として、Ｕ型取手４が前に向かいフレーム１と平行であるように調整し、第１のスプリングピン７を締め、中間の引き縄を持ち上げ、この場合、４つの第２のキャスタ２１が中間へ移動し、２段のユニットフレーム１．１が折り畳まれて重なった後、ロックキャッチを締め付け、収納完了とし、図１１に示す通りである。
【００３４】
実施例３
添付図面１２を参照する。本実施例のトレーニング板モジュールは四つ折りのトレーニング板であり、本実施例と実施例１との相違点は以下の通りである。
【００３５】
本実施例において、本実施例の好ましい実施形態としては、前記トレーニング板モジュールにフレーム１が４段のユニットフレーム１．１から可動的に連結され、前記ユニットフレーム１．１と、それに対応するユニットパネル２．１とが１つの全体であり、トレーニング板モジュールの両端に位置するユニットパネル２．１に第２の溝３１と、第２の溝３１に嵌合される第２の取手モジュール３２とが設けられており、前記第２の溝３１、第２の取手モジュール３２とスライドボードモジュールにおける第１の溝２３、第１の取手モジュール２４の構造が同様であり、トレーニング板モジュールの両端に位置するユニットフレーム１．１がその側辺に互いに締結され得るトレーニング板の固定ストラップ３４が設けられており、トレーニング板の固定ストラップ３４がパネルを折り畳む場合の固定に用いられ、開かれることを防止する。前記トレーニング板モジュールの両側に伸縮可能な留め具３５が設けられている。第２の伸縮可能な留め具３５は収納式のものであり、用いる場合引き出すことができ、用いない場合引き戻すことができる。その引き出された構造は図５に示される第１の伸縮可能な留め具３８の構造と同様であり、前記トレーニング板モジュールの両側に第２の取手モジュール３２を固定する第３のスプリングピンロック３７がさらに設けられている。
【００３６】
４段の前記ユニットフレーム１．１は、構造が同様である中部フレーム１．１ａと、中部フレーム１．１ａの両端に設けられ構造が同様である端部フレーム１．１ｂとを備え、前記中部フレーム１．１ａの互いに連結される一端がその頂部に中部フレーム１．１ａを相対的に上へ折り畳むためのヒンジ３９が設けられており、その底部に中部フレーム１．１ａを相対的に上へ折り畳むことを制限するロック部材４０が設けられており、前記ロック部材４０が交差して２つの中部フレーム１．１ａの隣接する底辺に設けられ、前記ロック部材４０の中心に貫通してロック孔が設けられており、前記ロック孔にロックシャフト４１が穿設され得、前記中部フレーム１．１ａの他端の底部にそれぞれ端部フレーム１．１ｂを下へ折り畳むための蝶番４２が設けられている。
【００３７】
実施例３において、トレーニング板モジュールの開き方は、４段のユニットフレーム１．１をその接合部のヒンジに基づき完全なフラットプレートに展開すればよい。
【００３８】
収納方法として、４段のユニットフレーム１．１をその接合部のヒンジに基づき正方形板に折り畳み、トレーニング板モジュールの両端のユニットフレームに設けられるトレーニング板の固定ストラップを互いに係合すればよい。例えば、添付図面１３に示す通りである。
【００３９】
また、本考案中のスライドボードモジュールはトレーニング板モジュールと組合せて使用しても、単独で使用してもよい。
【００４０】
添付図面１７〜２２を参照する。本考案のトレーニング機能は以下のことを含む。
【００４１】
機能１：Ｒｅｖｅｒｓｅ  Ｇｒｉｐ  Ｃａｂｌｅ  Ｐｕｓｈｄｏｗｎ
実施方法：顔がガントリーに向き、両膝がパネルに跪き、両手がプルロッドを掴み、両肘が両脇の両側に置かれた後、肘を軸に前腕が力を入れ、上下に運動する。この動作は主として上腕三頭筋を鍛えるものであり、図１７に示す通りである。
【００４２】
機能２：腹筋運動
実施方法：トレーニング板を広げ、図面の状態に調整する。トレーニング板に仰臥し、両足を取手に引っかければ、腹筋運動をすることができる。この動作は主として腹部筋群を鍛えるものであり、図１８に示す通りである。
【００４３】
機能３：スタンディングチューブサイドレイズ
実施方法：２本のゴムひもを取りショートグリップに連結させ、他端をそれぞれ、スライドボードモジュールの両端の留め具に引っかければ、この動作を完成することができる。この動作は主として三角筋、僧帽筋を鍛えるものであり、図１９に示す通りである。
【００４４】
機能４：ストレッチボード
実施方法：取手モジュールを調整し収納状態となるようにし、Ｗ型角度可変支持バーを調整することにより、それをスライドボードモジュールの下パネルにおける係合溝に係止させ、スライドボードモジュールを一定の角度に調整させ、スライドボードモジュールの上パネルに立てれば、当該動作を完成することができる。この動作は人体の全身の腱をストレッチし弛緩することに役立つことができ、図２０に示す通りである。
【００４５】
機能５：スライドボード補助によるクランチ
実施方法：スライドボードモジュールを折り畳み、図面のようにＵ型取手を調整し、パネルに垂直であり外向きに一字状となるようにし、スライドボードモジュールがトレーニング板の上まで回転し、スライドボードのキャスタを着地させ、両手がＵ型取手を掴み、両足を取手モジュールに引っかければ、当該動作を完成することができる。この動作は主として腹部筋群と脚部筋群を鍛えるものであり、図２１に示す通りである。
【００４６】
機能６：スライドボード補助による懸垂運動
実施方法：スライドボードモジュール、ガントリーモジュールをトレーニング板に取り付け、スライドボードモジュールが収納折り畳み状態にあり、取手モジュールを調整してハンドルをスライドボードモジュールの上パネルに露出させ、スライドボードのキャスタを着地させ、両手がガントリーモジュールの頂部を掴み、両足を取手モジュールの下に固定すれば、当該動作を完成することができる。この動作は主として上腕二頭筋、上腕三頭筋、大胸筋等を鍛えるものであり、図２２に示す通りである。
【００４７】
上述したのは本考案の具体的実施の態様に過ぎないが、本考案の保護範囲がこれに制限されるものではない。当業者が本考案に開示される技術的範囲において、容易に思い出せる変化又は置き換えは、全て本考案の保護範囲に含まれる。このため、本考案の保護範囲は特許請求の範囲の保護範囲に準ずるべきである。
【符号の説明】
【００４８】
１    フレーム
１．１    ユニットフレーム
１．１ａ    中部フレーム
１．１ｂ    端部フレーム
２    パネル
２．１    ユニットパネル
３    第１のベース
４    Ｕ型取手
５    支持フレーム
５．１    主支持バー
５．２    アンチロールバー
６    第１のロックキャッチ
７    第１のスプリングピン
８    第２の可動ベース
８．１    ベース板
８．２    ベースケーシング
９    位置決めバー
１０    弾力装置
１１    Ｕ型挿入バー
１２    滑車
１３    ワイヤー
１４    プルロッド
１５    下パネル
１６    上パネル
１７    第１のキャスタ
１８    第２のスプリングピン
１９    アクセサリ固定装置
２０    アクセサリ
２１    第２のキャスタ
２２    第１の留め具
２３    第１の溝
２４    第１の取手モジュール
２４．１    取手取付台座
２４．２    取手固定挿入バー
２４．３    取手支持バー
２４．４    ハンドル
２５    角度可変支持部品
２６    係合溝
２７    止め板
２７．１    止め連結板
２７．２    止めベースプレート
２８    バフル板
２９    穴
３０    第１のスプリングピンロック
３１    第２の溝
３２    第２の取手モジュール
３３    高さ調整孔
３４    トレーニング板の固定ストラップ
３５    第２の伸縮可能な留め具
３６    第２のスプリングピンロック
３７    第３のスプリングピンロック
３８    第１の伸縮可能な留め具
３９    ヒンジ
４０    ロック部材
４１    ロックシャフト
４２    蝶番
【図１】
0003227364.tif 000003
【図２】
0003227364.tif 000004
【図３】
0003227364.tif 000005
【図４】
0003227364.tif 000006
【図５】
0003227364.tif 000007
【図６】
0003227364.tif 000008
【図７】
0003227364.tif 000009
【図８】
0003227364.tif 000010
【図９】
0003227364.tif 000011
【図１０】
0003227364.tif 000012
【図１１】
0003227364.tif 000013
【図１２】
0003227364.tif 000014
【図１３】
0003227364.tif 000015
【図１４】
0003227364.tif 000016
【図１５】
0003227364.tif 000017
【図１６】
0003227364.tif 000018
【図１７】
0003227364.tif 000019
【図１８】
0003227364.tif 000020
【図１９】
0003227364.tif 000021
【図２０】
0003227364.tif 000022
【図２１】
0003227364.tif 000023
【図２２】
0003227364.tif 000024